(57)【要約】【課題】長い嵌め込みストロークを確保することによって耐衝撃性や結合強度を高く確保し得て、作業コスト並びに部品コストを削減することができ、しかも、デザイン性を向上することができる携帯通信端末を提供する。【解決手段】本発明は、矩形の裏面カバー部３５とその一辺を除く周縁部から立ち上げられた周壁３７とで表面側及び側面に開放する断面略凹形状のリアケース３１と、リアケース３１の表面側の開放端から表面が露出するようにリアケース３１の一の側面の開放端３６からスライド挿入されてリアケース３１に位置決め状態で嵌合保持される略平板状のフロントケース３２と、を備えている。【選択図】図４
2012100134.tif 000002
【特許請求の範囲】
【請求項１】
矩形の裏面カバー部とその一辺を除く周縁部から立ち上げられた周壁とで表面側及び一の側面に開放する断面略凹形状のリアケースと、該リアケースの前記一の側面から表面が露出するようにスライド挿入されて前記リアケースに位置決め状態で嵌合保持される略平板状のフロントケースとを備えたことを特徴とする携帯通信端末。
【請求項２】
前記フロントケースのスライド方向に沿う外周面に設けられた係合部と、前記周壁の内面に設けられた被係合部と、を備え、前記フロントケースを前記リアケースにスライド挿入した際には前記被係合部に前記係合部が係合することにより前記リアケースに前記フロントケースが位置決め状態で嵌合保持されることを特徴とする請求項１に記載の携帯通信端末。
【請求項３】
前記周壁は、前記フロントケースの厚さ以上の高さを備えていることを特徴とする請求項１又は請求項２に記載の携帯通信端末。
【請求項４】
前記フロントケースと前記リアケースとは、それぞれ異なる色塗装が施されていることを特徴とする請求項１乃至請求項３の何れか１項に記載の携帯通信端末。
【請求項５】
画像情報の表示出力を行う表示パネルを備えた矩形の表示ケース本体と、少なくとも通話機能を操作するための操作キーを備えた矩形の操作ケース本体と、前記各ケース本体の各一辺同士を連結して前記各ケース本体を非使用時の折畳状態と通話使用時の展開状態とに切り替えるヒンジ機構と、から構成され、
前記各ケース本体の少なくとも一方は、矩形の裏面カバー部とその一辺を除く周縁部から立ち上げられた周壁とで表面側及び一の側面に開放する断面略凹形状のリアケースと、該リアケースの前記一の側面から前記表示パネル又は前記操作キーが露出するようにスライド挿入されて前記リアケースに位置決め状態で嵌合保持される略平板状のフロントケースと、を備えていることを特徴とする携帯電話端末。
【請求項６】
表示パネルを組み付けて表示フロントケースをユニット化する表示フロントケース組み付けステップと、操作キーを組み付けて操作フロントケースをユニット化する操作フロントケース組み付けステップと、前記表示フロントケース及び前記操作フロントケースの大きさに応じて矩形の裏面カバー部とその一辺を除く周縁部から立ち上げられた周壁とで表面側及び一の側面に開放する断面略凹形状の表示用リアケース及び操作フロントケースを形成するリアケース形成ステップと、ユニット化された各フロントケースをヒンジ機構を介して連結する連結ステップと、前記表示フロントケースを前記表示リアケースの一の側面からスライド挿入して前記表示リアケースに前記表示フロントケースを嵌合保持させる表示ケース本体嵌合保持ステップと、前記操作フロントケースを前記操作リアケースの一の側面からスライド挿入して前記操作リアケースに前記操作フロントケースを嵌合保持させる操作ケース本体嵌合保持ステップと、からなることを特徴とする携帯電話端末の組み付け方法。
【発明の詳細な説明】
【技術分野】
【０００１】
本発明は、携帯通信端末、特にフロントケースとリアケースとの合わせ構造によって内部に電子部品を収納する筐体形状のケース本体を構成した携帯通信端末、携帯電話端末、及び携帯電話端末の組み付け方法に関する。
【背景技術】
【０００２】
近年の携帯通信端末、例えば、携帯電話端末にあっては、電子メールの内容表示、インターネット画像、写真画像、ワンセグＴＶ映像といった様々な画像や映像を表示パネルに表示可能としていることから、表示パネルが大型化している。
【０００３】
その一方で、携帯電話端末自体は携帯性を確保する必要性があることから、小型化を維持するのが望ましい。
【０００４】
そこで、表示パネルと、少なくとも表示パネルへの画像（映像を含む）表示を制御するための表示回路ユニットとを一つのケース本体に設けると共に、テンキーを含む複数のボタンキー等の操作キーと、操作キーの操作に応じて各種機能等を実行するための操作回路ユニットとを他のケース本体に設けて分割し、これら２つのケース本体をヒンジ機構やスライド機構を介して連結した携帯電話端末が主流となっている。
【０００５】
また、携帯電話端末のさらなる小型化を実現するために、表示パネルにタッチパネル方式を採用し、操作キーとしての物理的なボタンキー等を廃止して画像によって操作キーを表示し、一つのケース本体とした携帯電話端末も多く見受けられるようになっている。
【０００６】
ところで、これら何れのケース本体にあっても、例えば、特許文献１に代表されるように、その厚さに相当する周壁が略半割りとなるようにフロントケースとリアケースとを構成し、フロントケースとリアケースとを所謂インロー方式で互いに厚さ方向で位置決めしつつケース本体を結合しているのが一般的であった。
【０００７】
しかしながら、このような半割りのフロントケースとリアケースとをインロー方式で結合した場合、特に、周壁に充電用コネクタや音声入出力用コネクタ等を露出させるための開口を形成した場合、フロントケース側とリアケース側の双方に開口を形成する必要があることから、開口縁部を一致させるための細かい位置合わせが必要となるうえ、落下時の耐衝撃性や耐水性・密閉性等を高く確保しなければならず、多くのデザイン上や機能上に制約が発生してしまうという問題が生じていた。
【０００８】
そこで、特許文献２に示すように、全厚さ分の周壁を一方のケース（例えば、リアケース）に形成し、フロントケースを厚さ方向で嵌め込むように構成したものや、特許文献３に示すように、フロントケースとリアケースとは別に、側壁を多うカバーを装着するように構成したもの等が提案されている。
【０００９】
尚、購買意欲を向上するためには、一般的には上述した各種機能やデザインが大きく重視され、その一つとして、特許文献３に示した側壁のみでなく、各ケースとは異なる装飾カバー部材等を用いてデザイン性の向上を図ると共に、一部の操作キーの機能を装飾カバーによって変更可能としたものも販売されつつあるが、コスト増を招く要因ともなっていた。
【先行技術文献】
【特許文献】
【００１０】
【特許文献１】特開２００４−２３６１８１号公報
【特許文献２】特開２００４−２６５７８９号公報
【特許文献３】特開２００７−１６５５６１号公報
【発明の概要】
【発明が解決しようとする課題】
【００１１】
しかしながら、上述した携帯通信端末にあっては、例えば、特許文献２に開示の構成にあっては、厚さ方向に沿ってフロントケースをリアケースに嵌め込むため、両者を結合する際の位置合わせや固定するための複雑な固定構造を必要とし、作業コスト並びに部品コストが高騰してしまうという問題が生じていた。
【００１２】
また、特に、近年のより一層の薄型化によるケース本体では、その厚さに相当する嵌め込みストロークも当然に短くなる。
【００１３】
したがって、このような短いストロークでは、フロントケースとリアケースとをネジ固定した場合にあっては、落下時の耐衝撃性等の強度の確保が困難となる。また、雌雄（凹凸）の異なる係合部と被係合部とで結合した場合にあっては、係合部と被係合部の形状等に制約ができ、結合強度の確保が困難となってしまう。
【００１４】
さらに、各ケースとは別のカバー等を設けた場合、デザイン性や耐衝撃性を向上することができるうえ、ケース間の結合強度も高く確保することができるものの、部品点数が増して部品コストが高騰してしまうばかりでなく、組み付け作業が煩雑化して作業コストも高騰してしまうという問題が生じていた。
【００１５】
そこで、本発明は、簡素な構成でありながら、長い嵌め込みストロークを確保することによって耐衝撃性や結合強度を高く確保し得て、作業コスト並びに部品コストを削減することができ、しかも、デザイン性を向上することができる携帯通信端末、携帯電話端末、及び携帯電話端末の組み付け方法を提供することを目的とする。
【課題を解決するための手段】
【００１６】
上記課題を解決するため、本発明の携帯通信端末は、矩形の裏面カバー部とその一辺を除く周縁部から立ち上げられた周壁とで表面側及び一の側面に開放する断面略凹形状のリアケースと、該リアケースの前記表面側の開放端から表面が露出するように前記リアケースの前記側面の一の側面の開放端からスライド挿入されて前記リアケースに位置決め状態で嵌合保持される略平板状のフロントケースと、を備えていることを特徴とする。
【００１７】
本発明の携帯電話端末は、画像情報の表示出力を行う表示パネルを備えた矩形の表示ケース本体と、少なくとも通話機能を操作するための操作キーを備えた矩形の操作ケース本体と、前記各ケース本体の各一辺同士を連結して前記各ケース本体を非使用時の折畳状態と通話使用時の展開状態とに切り替えるヒンジ機構と、から構成され、前記各ケース本体の少なくとも一方は、矩形の裏面カバー部とその一辺を除く周縁部から立ち上げられた周壁とで表面側及び一の側面に開放する断面略凹形状のリアケースと、該リアケースの前記表面側の一の側面の開放端から前記表示パネル又は前記操作キーが露出するようにスライド挿入されて前記リアケースに位置決め状態で嵌合保持される略平板状のフロントケースと、を備えていることを特徴とする。
【００１８】
本発明の携帯電話端末の組み付け方法は、表示パネルを組み付けて表示フロントケースをユニット化する表示フロントケース組み付けステップと、操作キーを組み付けて操作フロントケースをユニット化する操作フロントケース組み付けステップと、前記表示フロントケース及び前記操作フロントケースの大きさに応じて矩形の裏面カバー部とその一辺を除く周縁部から立ち上げられた周壁とで表面側及び一の側面に開放する断面略凹形状の表示用リアケース及び操作フロントケースを形成するリアケース形成ステップと、ユニット化された各フロントケースをヒンジ機構を介して連結する連結ステップと、前記表示フロントケースを前記表示リアケースの一の側面の開放端からスライド挿入して前記表示リアケースに前記表示フロントケースを嵌合保持させる表示ケース本体嵌合保持ステップと、前記操作フロントケースを前記操作リアケースの一の側面の開放端からスライド挿入して前記操作リアケースに前記操作フロントケースを嵌合保持させる操作ケース本体嵌合保持ステップと、を実行することを特徴とする。
【発明の効果】
【００１９】
本発明の携帯通信端末は、長い嵌め込みストロークを確保することによって耐衝撃性や結合強度を高く確保し得て、作業コスト並びに部品コストを削減することができ、しかも、デザイン性を向上することができる。
【図面の簡単な説明】
【００２０】
【図１】本発明の一実施形態に係る携帯通信端末としての一例を示す携帯電話端末の使用状態（展開状態）の斜視図である。
【図２】本発明の一実施形態に係る携帯通信端末としての一例を示す携帯電話端末の非使用状態（折畳状態）の側面図である。
【図３】本発明の一実施形態に係る携帯通信端末としての一例を示す携帯電話端末の内部構成部品を省略した表示ケース本体側の分解斜視図である。
【図４】本発明の一実施形態に係る携帯通信端末としての一例を示す携帯電話端末の内部構成部品を省略した操作ケース本体側の分解斜視図である。
【図５】本発明の一実施形態に係る携帯通信端末としての一例を示す携帯電話端末に適用される操作ケース本体を示し、（Ａ）は内壁面構造を示す要部の断面図、（Ｂ）は要部の拡大縦断面図、（Ｃ）は要部の拡大平断面図である。
【図６】本発明の一実施形態に係る携帯通信端末としての一例を示す携帯電話端末に適用される他の操作ケース本体を示し、（Ａ）は内壁面構造を示す要部の断面図、（Ｂ）は要部の拡大縦断面図である。
【発明を実施するための形態】
【００２１】
次に、本発明の一実施形態に係る携帯通信端末について折りたたみ式の携帯電話端末に適用し、図面を参照して説明する。尚、以下に示す実施例は本発明の携帯通信端末における好適な具体例であり、技術的に好ましい種々の限定を付している場合もあるが、本発明の技術範囲は、特に本発明を限定する記載がない限り、これらの態様に限定されるものではない。また、以下に示す実施形態における構成要素は適宜、既存の構成要素等との置き換えが可能であり、かつ、他の既存の構成要素との組合せを含む様々なバリエーションが可能である。したがって、以下に示す実施形態の記載をもって、特許請求の範囲に記載された発明の内容を限定するものではない。
【００２２】
（携帯電話端末１０の全体構成）
図１及び図２に示すように、本発明の一実施形態に係る携帯通信端末としての一例を示す携帯電話端末１０は、画像（文字、図形、記号及び映像等を含む）の画像情報の表示出力を行う表示パネル１１と、少なくとも表示パネル１１への画像情報の表示出力を制御するための表示回路ユニット１２と、を表示ケース本体１３に設けると共に、複数のボタンキー（テンキー、方向キー／決定キー、ファンクションキー等を含む）からなる操作キー１４と、操作キー１４の操作に応じて各種機能等を実行するための操作回路ユニット１５とを操作ケース本体１６に設け、これら２つの矩形のケース本体１３，１６の各一辺同士をヒンジ機構１７を介して連結している。これにより、常時（非使用時）には図２に示すように折畳状態とされ、通話時等の使用時には図１に示すように展開状態とされる。
【００２３】
尚、以下の説明においては、説明の便宜上、ヒンジ機構１７を回動支点として各ケース本体１３，１６を回動させて図１に示す使用状態（展開状態）を方向の基準とし、表示ケース本体１３のヒンジ機構１７を配置した側を下端（逆側を上端）、操作ケース本体１６のヒンジ機構１７を配置した側を上端（逆側を下端）として説明する。また、ヒンジ機構１７は、本実施の形態においては各ケース本体１３，１６の小口方向の各一辺同士を連結しているが、長手方向の各一辺同士を連結しても良い。さらに、ヒンジ機構１７は、図１と図２とに示した回動軸線方向とは直行する軸を別途独立して設け、この軸線周りで表示ケース本体１３を回転させることも可能である。
【００２４】
また、携帯電話端末１０は、通話用として、表示ケース本体１３の上端寄りに配置された受話部（スピーカ）１８と、操作ケース本体１６の下端寄りに配置された送話部（マイク）１９と、を備え、受話部１８及び送話部１９を介して入出力された音声信号は操作回路ユニット１５に設けられた音声処理部（図示せず）にて処理される。また、これらは、操作ケース本体１６に設けられたバッテリ２０からの電源供給によって駆動する。
【００２５】
（携帯電話端末１０の機能的構成）
以下、本発明の携帯電話端末１０の機能的構成を説明する。本発明の携帯電話端末１０は、例えば、各種通信機能（通話、メール送受信、インターネット接続、赤外線送受信）やＴＶ放送受信機能等の他、カメラ撮影モード、音楽再生モード等の各種機能が機種等に応じた選択的付加機能（メーカ又はユーザ設定）として備えた携帯型情報処理装置であって、プログラム制御により動作する。
【００２６】
また、携帯電話端末１０は、上述した各種通信機能を実現するため、表示回路ユニット１２又は操作回路ユニット１５は、図示を略するが、携帯電話としての一般的な機能・構成である、無線基地局装置との間で無線により情報の送受を行う無線通信部、放送局から送信された放送信号（映像データ信号、音声データ信号、情報データ信号等を含む）を受信・復調による放送信号処理を行う放送受信部、画像情報の取得を行うカメラ部、受話部１８とは別に楽音や報知音などの鳴音出力を行うスピーカ、ＧＰＳ衛星から発射された電波を受信することにより位置座標を求める測位部、赤外線を利用して近距離に存在する機器との間で情報の送受を行う赤外線送受信部、ユーザ情報等を記録したＩＣチップ、無線通信用のアンテナ、等から構成されている他、情報の読み出し、書き換え、追記が可能なＲＦＩＤ、各種のデータ、アプリケーションプログラムなどを格納するメモリ、通信やカメラなど端末の有する機能や各部の制御を行う制御部、などを備えている。
【００２７】
（表示ケース本体１３の具体的な構成）
表示ケース本体１３は、図３に示すように、ケース裏面側を構成するリアケース２１と、表面に表示パネル１１を備え且つ裏面に表示回路ユニット１２を備えてケース表面側を構成するフロントケース２２と、ヒンジ機構１７のヒンジ軸２３を保持するようにフロントケース２２に装着されるヒンジカバー２４と、を備えている。
【００２８】
リアケース２１は、硬質樹脂或いは軽量かつ高強度のマグネシウム合金等の金属から構成されており、ケース裏面側の略全面を覆う裏面カバー部２５と、裏面カバー部２５の下端縁部に一の側面に開放端２６を有するように他の周縁部（三辺）から一体に立ち上げられた周壁２７とで表面に表示パネル１１が露出するように開放した断面略凹形状（箱状）に形成されている。また、周壁２７の開放端（開口）２６を形成する下端開口縁部付近にはフロントケース２２の奥行き方向の位置決めをするための切欠２８が形成されている。
【００２９】
フロントケース２２は、表示パネル１１と表示回路ユニット１２とを含む板状のユニット状態でリアケース２１の一の側面の開放端２６からリアケース２１の内部（上端）に向けてスライド挿入され、例えば、周壁２７の内壁面とフロントケース２２の外周面とに設けられた係合部と被係合部（共に図示せず）との係合等によってリアケース２１にフロントケース２２が嵌合保持される。また、フロントケース２２の下端付近には切欠２８と係合する位置決突起２９が形成されている。さらに、フロントケース２２の表示パネル１１よりも下端寄りにはヒンジ軸２３の径方向略半分側を収納保持する軸保持凹部３０が形成されている。
【００３０】
ヒンジカバー２４は、軸保持凹部３０に貼着保持され、軸保持凹部３０と協働してヒンジ軸２３の両端付近を保持する軸保持部２４ａ，２４ｂが一体に形成されている。
【００３１】
（操作ケース本体１６の具体的構成）
操作ケース本体１６は、図４に示すように、ケース裏面側を構成するリアケース３１と、表面に操作キー１４を備え且つ裏面に操作回路ユニット１５を備えてケース表面側を構成するフロントケース３２と、ヒンジ機構１７のヒンジ軸２３を保持するようにフロントケース３２に装着されるヒンジカバー３３と、リアケース３１とフロントケース３２とを分離させること無くバッテリ２０やＩＣチップの交換等を可能とするためのバッテリカバー３４と、を備えている。
【００３２】
リアケース３１は、硬質樹脂或いは軽量かつ高強度のマグネシウム合金等の金属から構成されており、ケース裏面側の全面を覆う裏面カバー部３５と、裏面カバー部３５の上端縁部の一の側面に開放端３６を有するように他の周縁部（三辺）から一体に立ち上げられた周壁３７とで表面に操作キー１４が露出するように開放した断面略凹形状（箱状）に形成されている。また、周壁３７の一の側面の開放端３６はヒンジカバー３３によって閉成される。さらに、裏面カバー部３５の下端付近には、バッテリ２０の大きさ等を考慮したバッテリ交換開口３８が形成され、バッテリカバー３４によって開閉される。また、周壁３７には、イヤホン用コネクタや充電用コネクタが挿入される長孔３９，４０が形成されている。しかも、周壁３７の内面には、図５（Ａ），（Ｂ）に示すように、その上縁付近に沿ってフロントケース２２をガイドするためのガイド溝４１が形成されている。また、裏面カバー部３５の下端寄り中央付近には内部に向けて膨出する段差部４２が形成されており、ガイド溝４１と協働して操作回路ユニット１５をサンドイッチ状にガタ無く保持するように構成されている。尚、ガイド溝４１は、例えば、図６（Ａ），（Ｂ）に示すように、段差部４２の下端側を最大膨出部としてフロントケース３２を表面側に押し上げガイドするように構成し、その付近からフロントケース３２と係合するように、周壁２７の上縁部から内側に突出した庇部４３と突出レール部４４とで形成しても良い。また、段差部４２と庇部４３（又は裏面カバー部３５）とでフロントケース３２の表裏を挟持することでガイド溝４１を廃止しても良い。
【００３３】
フロントケース３２は、操作キー１４と操作回路ユニット１５とを含む板状のユニット状態でリアケース３１の開放端３６からガイド溝４１に係合案内されてリアケース３１の内部（下端）に向けてスライド挿入され、例えば、図５（Ｂ），（Ｃ）に示すように、周壁３７の内壁面とフロントケース３２の外周面とに設けられた係合部４５と被係合部４６との係合等によってリアケース３１にフロントケース３２が嵌合保持される。
【００３４】
係合部４５と被係合部４６とは、雌雄（凹凸）の異なる略同一形状とされ、本実施の形態においては、フロントケース３２の長手方向（スライド挿入方向）に沿う外周面から弾性変形可能なランス状の係合部４５が形成されている。また、被係合部４６は、リアケース３１でフロントケース３２を嵌合保持した位置で係合部４５と係合する位置に形成されている。尚、係合部４５はフロントケース３２の長手方向に沿う各外周面のスライド挿入方向（奥行き方向）複数個所に形成することができる。この際、各係合部４５は、長手方向略同一位置（左右同一位置）に形成するのが望ましい。さらに、係合部４５は、本実施の形態においては、山型状（又は三角形状）に突出している。この際、スライド挿入方向側の面は緩やかに傾斜させ、抜け止め方向側の面は急激に傾斜させることにより、スライド挿入時の挿入操作は容易とし、抜け方向には抜け難くすることができる。尚、抜け方向は直角若しくは楔状として完全に抜けないように構成しても良い。また、フロントケース３２をリアケース３１に嵌合保持させる構造としては、例えば、各ケース３１，３２のそのもの自体の嵌め合いによるもの等、係合部４５と被係合部４６とによるものに限定されるものではない。
【００３５】
ヒンジカバー３３は、前記開放端３６を閉成するようにフロントケース３２に装着され、フロントケース３２に形成（又は固定）された軸保持部４７とヒンジカバー３３に形成された軸保持部３３ａとで軸保持部２４ａ，２４ｂの間でヒンジ軸２３の中央付近を保持する。
【００３６】
尚、図５及び図６に示した部材間の隙間は説明の便宜上図示したもので、実際には隙間は無いように寸法精度が確保されている。
【００３７】
（組み付け作業手順）
上記の構成において、携帯電話端末１０を組み付けるには、表示ケース本体１３のフロントケース２２に表示パネル１１と表示回路ユニット１２とを組み付けてユニット化すると共に、操作ケース本体１３のフロントケース３２に操作キー１４と操作回路ユニット１５とを組み付けてユニット化しておく。
【００３８】
次に、ユニット化された各フロントケース２２，３２をヒンジ機構１７を介して連結する。尚、この各フロントケース２２，３２の連結作業は最後でも良い。
【００３９】
さらに、フロントケース２２をリアケース２１の開放端２６から挿入し、フロントケース２２の上端まで（切欠２８と位置決突起２９とが係合するまで）スライド挿入し、上述した操作ケース本体１６に形成した係合部４５と被係合部４６と同様の係合構造や切欠２８と位置決突起２９との嵌合構造（図示せず）によってフロントケース２２をリアケース２１に嵌合保持させる。また、ガイド溝４１と同様のガイド手段をリアケース２１に設けても良い。
【００４０】
また、フロントケース３２をリアケース３１の側面の開放端３６から挿入し、フロントケース３２の下端までスライド挿入し、係合部４５と被係合部４６とを係合させてフロントケース３２をリアケース３１に嵌合保持させる。
【００４１】
この際、係合部４５と被係合部４６とは、ストロークの長いスライド挿入方向に沿って弾発係合する係合構造を採用することができることから、容易且つ確実に係合状態を確保することが可能となる。また、係合部４５と被係合部４６との形成位置は、ストロークの長いスライド挿入方向適宜箇所（複数可）に任意に形成することができることから、例えば、操作回路ユニット１５の構成部品の配置等に左右されず、設計上の自由度を向上することができる。
【００４２】
このように、本発明の携帯電話端末１０にあっては、リアケース２１，３１とフロントケース２２，３２との嵌め合いに各ケース本体１３，１６の長手方向に沿うスライド挿入構造を採用したことにより、従来技術で説明した厚さ方向に沿う嵌め合いと異なり、簡素な構成でありながら組み立ての容易性を向上することができる。
【００４３】
さらに、各ケース本体１３，１６の厚さに相当する高さをリアケース２１，３１の周壁２７，３７のみのよって確保したことから、リアケース２１，３１とフロントケース２２，３２との色塗装を異ならせても厚さ方向の中途部で色変化が発生せず、デザイン性を向上することができる。また、厚さ方向で分割されない一つの周壁３７にコネクタ接続用の長孔３９，４０を形成することができ、長孔３９，４０を各ケース本体１３，１６の厚さ方向で分割する必要も無くなり、長孔３９，４０の開口縁部の位置合わせも不要とすることができる。
【符号の説明】
【００４４】
１０…携帯電話端末
１１…表示パネル
１３…表示ケース本体
１４…操作キー
１６…操作ケース本体
１７…ヒンジ機構
２１…リアケース
２２…フロントケース
２５…裏面カバー部
２６…開放端
２７…周壁
３１…リアケース
３２…フロントケース
３５…裏面カバー部
３６…開放端
３７…周壁
４５…係合部
４６…被係合部
【図１】
2012100134.tif 000003
【図２】
2012100134.tif 000004
【図３】
2012100134.tif 000005
【図４】
2012100134.tif 000006
【図５】
2012100134.tif 000007
【図６】
2012100134.tif 000008